(57)【要約】【課題】ＩＳＯ７８１１に準拠するカードの磁気データの不正な読取りを妨害するための妨害磁界発生機構を備えるカードリーダにおいて、カードの幅方向においてトラック２が通過する位置に取り付けられると想定されるスキミング用磁気ヘッドに効果的に妨害磁界の影響を与えることが可能で、かつ、カードの挿入時等の操作性を確保することが可能なカードリーダを提供する。【解決手段】カードリーダ１では、挿入口３へのカード２の挿入時等にカード２の前端部を掴むための凹部５ａの右側に妨害磁界発生機構８が配置されている。妨害磁界発生機構８では、コイル１２が巻回されるコイル巻回部２２が左右方向（カード２の幅方向）でトラック２が通過する位置に配置されている。コイル巻回部２２よりも左側に配置されるコイル巻回部２１およびコイル巻回部２２の横断面は長方形状になっており、コイル巻回部２１、２２の横断面の短辺方向と左右方向とが一致している。【選択図】図１
2019175530.tif 000002
【特許請求の範囲】
【請求項１】
国際標準化機構によって制定されたＩＳＯ７８１１に準拠する長方形状のカードに記録された磁気データの読取りおよび前記カードへの磁気データの記録の少なくともいずれか一方を行うカードリーダにおいて、
前記カードの挿入口が形成されるカード挿入部と、前記挿入口から挿入される前記カードが移動するカード移動路と、前記カードに記録された磁気データの不正な読取りを妨害するための磁界を発生させる妨害磁界発生機構とを備え、
前記カード移動路を移動する前記カードの移動方向の一方である前記挿入口への前記カードの挿入方向を後ろ方向とし、後ろ方向の反対方向を前方向とし、前記カード移動路を移動する前記カードの厚さ方向と前後方向とに直交する前記カードの幅方向の一方を第１方向とし、第１方向の反対方向を第２方向とすると、
前記カード移動路を移動する前記カードの長手方向は、前後方向と一致しており、
前記カード挿入部には、前記挿入口への前記カードの挿入時および前記挿入口からの前記カードの引抜き時に前記カードリーダの利用者が前記カードの前端部を掴むための凹部が形成され、
前記凹部は、前記カード挿入部の前面から後ろ側に向かって窪んでおり、
前記妨害磁界発生機構は、妨害磁界発生用のコイルと磁性材料で形成されるコアとを備え、前記カード挿入部の内部に配置されるとともに前記凹部の第１方向側に配置され、
前記コアは、前記コイルが巻回される少なくとも１個の棒状のコイル巻回部を備え、
１個の前記コイル巻回部は、前記カードの幅方向において、前記カードの磁気ストライプに記録される磁気データの記録トラックの１つであるトラック２が通過する位置に配置され、
前記カードの幅方向において前記トラック２が通過する位置に配置される前記コイル巻回部を第１コイル巻回部とすると、前記第１コイル巻回部の横断面は、長方形状になっているとともに、前記第１コイル巻回部の横断面の短辺方向と前記カードの幅方向とが一致し、
前記コアが、前記第１コイル巻回部よりも第２方向側に配置される前記コイル巻回部を備えている場合に、前記第１コイル巻回部よりも第２方向側に配置される前記コイル巻回部を第２コイル巻回部とすると、前記第２コイル巻回部の横断面は、長方形状になっているとともに、前記第２コイル巻回部の横断面の短辺方向と前記カードの幅方向とが一致していることを特徴とするカードリーダ。
【請求項２】
前記コアは、前記第１コイル巻回部と１個の前記第２コイル巻回部と前記第１コイル巻回部よりも第１方向側に配置される２個の前記コイル巻回部との４個の前記コイル巻回部と、４個の前記コイル巻回部の後端部が繋がるとともに前記カードの幅方向を長手方向として配置される棒状の１個の連結部とから構成され、
４個の前記コイル巻回部は、互いに平行に配置されていることを特徴とする請求項１記載のカードリーダ。
【請求項３】
前記第１コイル巻回部よりも第１方向側に配置される２個の前記コイル巻回部のうちの一方の前記コイル巻回部を第３コイル巻回部とし、他方の前記コイル巻回部を第４コイル巻回部とすると、
前記第４コイル巻回部は、前記第３コイル巻回部よりも第１方向側に配置され、
前記第３コイル巻回部の横断面および前記第４コイル巻回部の横断面は、長方形状になっており、
前記第３コイル巻回部の横断面の長辺方向と前記カードの幅方向とが一致し、前記第４コイル巻回部の横断面の長辺方向と前記カードの幅方向とが一致していることを特徴とする請求項２記載のカードリーダ。
【請求項４】
前記第１コイル巻回部に巻回される前記コイルと前記第４コイル巻回部に巻回される前記コイルとは、直列に接続され、
前記第２コイル巻回部に巻回される前記コイルと前記第３コイル巻回部に巻回される前記コイルとは、直列に接続されていることを特徴とする請求項３記載のカードリーダ。
【請求項５】
前記第１コイル巻回部に巻回される前記コイルおよび前記第４コイル巻回部に巻回される前記コイルに直列に接続される温度ヒューズである第１温度ヒューズと、前記第２コイル巻回部に巻回される前記コイルおよび前記第３コイル巻回部に巻回される前記コイルに直列に接続される温度ヒューズである第２温度ヒューズとを備え、
棒状に形成される前記コイル巻回部の長手方向と前記カードの幅方向とに直交する方向の一方を第３方向とし、第３方向の反対方向を第４方向とすると、
前記第１温度ヒューズおよび前記第２温度ヒューズのいずれか一方は、前記カードの幅方向において前記第１コイル巻回部と前記第２コイル巻回部との間に配置されるとともに第３方向側に配置され、
前記第１温度ヒューズおよび前記第２温度ヒューズのいずれか他方は、前記第３コイル巻回部および前記第４コイル巻回部の第４方向側に配置されていることを特徴とする請求項４記載のカードリーダ。
【発明の詳細な説明】
【技術分野】
【０００１】
本発明は、カードに記録された磁気データの読取りやカードへの磁気データの記録を行うカードリーダに関する。
【背景技術】
【０００２】
従来、カードに記録された磁気データの読取りやカードへの磁気データの記録を行う磁気ヘッドを備えるカード搬送式のカードリーダが知られている（たとえば、特許文献１参照）。特許文献１に記載のカードリーダは、カードに記録された磁気データを犯罪者が不正に読み取るスキミングを阻止するための妨害磁界発生機構を備えている。妨害磁界発生機構は、カードに記録された磁気データの不正な読取りを妨害するための磁界を発生させる。この妨害磁界発生機構は、カードの挿入口が形成されるカード挿入部の内部に配置されている。
【０００３】
特許文献１に記載のカードリーダでは、妨害磁界発生機構は、妨害磁界発生用のコイルと、磁性材料で形成されるコアとを備えている。コアは、たとえば、上下方向から見たときに前後方向を長手方向として配置される棒状の第１コア部分、第２コア部分、第３コア部分および第４コア部分と、上下方向から見たときに左右方向を長手方向として配置され第１コア部分〜第４コア部分の後端同士を繋ぐ棒状の連結コア部分とから構成されている。第１コア部分〜第４コア部分のそれぞれには、コイルが巻回されている。
【０００４】
また、従来、カードに記録された磁気データの読取りやカードへの磁気データの記録を行う磁気ヘッドを備える手動式のカードリーダが知られている（たとえば、特許文献２参照）。特許文献２に記載のカードリーダは、カードの挿入口が形成されるカード挿入部と、スキミング用の磁気ヘッド（以下、「スキミング用磁気ヘッド」とする。）等の金属材料を含む異物がカード挿入部の前面側に取り付けられたことを検知するための金属センサとを備えている。
【０００５】
特許文献２に記載のカードリーダでは、カード挿入部は、上下方向から見たときの形状が略Ｕ形状となるように形成されており、前方に向かって突出するとともに左右方向に間隔をあけた状態で配置される２個の突出部を備えている。２個の突出部の間は、カードリーダの利用者が挿入口へカードを挿入するとき、および、挿入口からのカードを引き抜くときにカードの前端部を掴むための凹部となっている。特許文献２に記載のカードリーダにおいて、２個の突出部のうちの右側に配置される突出部を第１突出部とすると、このカードリーダでは、金属センサは、第１突出部の内部に配置されている。すなわち、金属センサは、凹部よりも右側に配置されている。
【０００６】
また、特許文献２に記載のカードリーダでは、スキミング用磁気ヘッドは、左右方向（具体的には、カードリーダの中を移動するカードの移動方向とカードの厚さ方向とに直交するカードの幅方向）において、カードの磁気ストライプが通過する位置に取り付けられることが想定される。そのため、金属センサは、左右方向において、カードの磁気ストライプが通過する位置に配置されている。
【０００７】
なお、特許文献１、２に記載のカードリーダで使用されるカードは、一般に、国際標準化機構によって制定されたＩＳＯ７８１１に準拠する長方形状のカードである。このカードの裏面には、カードの長手方向に沿って磁気ストライプが形成されている。磁気ストライプには、トラック１、トラック２およびトラック３の３つの記録トラックの磁気データがカードの長手方向に沿って記録されている。一般に、３つの記録トラックの磁気データのうち、トラック２の磁気データが最も重要な磁気データとなっている。
【先行技術文献】
【特許文献】
【０００８】
【特許文献１】国際公開第２０１５／１３３５６７号
【特許文献２】国際公開第２０１１／０９３３４０号
【発明の概要】
【発明が解決しようとする課題】
【０００９】
本願発明者は、特許文献２に記載のカードリーダのように、挿入口へのカードの挿入時および挿入口からのカードの引抜き時に利用者がカードの前端部を掴むための凹部がカード挿入部に形成されたカードリーダに、特許文献１に記載の妨害磁界発生機構を取り付けることを検討している。この場合、特許文献２に記載のカードリーダにおいて、金属センサが配置されるカード挿入部の第１突出部の内部に、妨害磁界発生機構を配置すれば良い。
【００１０】
ここで、犯罪者は、ＩＳＯ７８１１に準拠するカードにおいて、一般に最も重要な磁気データであるトラック２の磁気データを不正に読み取るために、左右方向においてトラック２が通過する位置にスキミング用磁気ヘッドを取り付けることが想定される。本願発明者の検討によると、妨害磁界発生機構のコアの、コイルが巻回される部分（以下、「コイル巻回部」とする。）の１つを左右方向においてトラック２が通過する位置に配置することで、左右方向においてトラック２が通過する位置に取り付けられたスキミング用磁気ヘッドに対して効果的に妨害磁界の影響を与えることが可能になることが明らかになった。
【００１１】
そのため、本願発明者は、カード挿入部の第１突出部の内部に妨害磁界発生機構を配置するに当たって、妨害磁界発生機構の１個のコイル巻回部を左右方向においてトラック２が通過する位置に配置することを検討している。この場合、トラック２が通過する位置からコアの左端までの左右方向の距離が長くなって、妨害磁界発生機構の左側に配置される凹部の左右方向の幅が狭くなると、カードの挿入時やカードの引抜き時に利用者がカードを掴みにくくなって、利用者によるカードの操作性が低下するおそれがある。したがって、左右方向においてトラック２が通過する位置に１個のコイル巻回部が配置されていても、利用者によるカードの操作性が低下しないように、凹部の左右方向の幅を確保することが好ましい。
【００１２】
そこで、本発明の課題は、国際標準化機構によって制定されたＩＳＯ７８１１に準拠するカードに記録された磁気データの不正な読取りを妨害するための磁界を発生させる妨害磁界発生機構を備えるとともに、挿入口へのカードの挿入時および挿入口からのカードの引抜き時に利用者がカードの前端部を掴むための凹部がカード挿入部に形成されたカードリーダにおいて、カードの幅方向においてトラック２が通過する位置に取り付けられることが想定されるスキミング用磁気ヘッドに効果的に妨害磁界の影響を与えることが可能になるとともに、カードの挿入時およびカードの引抜き時の操作性を確保することが可能なカードリーダを提供することにある。
【課題を解決するための手段】
【００１３】
上記の課題を解決するため、本発明のカードリーダは、国際標準化機構によって制定されたＩＳＯ７８１１に準拠する長方形状のカードに記録された磁気データの読取りおよびカードへの磁気データの記録の少なくともいずれか一方を行うカードリーダにおいて、カードの挿入口が形成されるカード挿入部と、挿入口から挿入されるカードが移動するカード移動路と、カードに記録された磁気データの不正な読取りを妨害するための磁界を発生させる妨害磁界発生機構とを備え、カード移動路を移動するカードの移動方向の一方である挿入口へのカードの挿入方向を後ろ方向とし、後ろ方向の反対方向を前方向とし、カード移動路を移動するカードの厚さ方向と前後方向とに直交するカードの幅方向の一方を第１方向とし、第１方向の反対方向を第２方向とすると、カード移動路を移動するカードの長手方向は、前後方向と一致しており、カード挿入部には、挿入口へのカードの挿入時および挿入口からのカードの引抜き時にカードリーダの利用者がカードの前端部を掴むための凹部が形成され、凹部は、カード挿入部の前面から後ろ側に向かって窪んでおり、妨害磁界発生機構は、妨害磁界発生用のコイルと磁性材料で形成されるコアとを備え、カード挿入部の内部に配置されるとともに凹部の第１方向側に配置され、コアは、コイルが巻回される少なくとも１個の棒状のコイル巻回部を備え、１個のコイル巻回部は、カードの幅方向において、カードの磁気ストライプに記録される磁気データの記録トラックの１つであるトラック２が通過する位置に配置され、カードの幅方向においてトラック２が通過する位置に配置されるコイル巻回部を第１コイル巻回部とすると、第１コイル巻回部の横断面は、長方形状になっているとともに、第１コイル巻回部の横断面の短辺方向とカードの幅方向とが一致し、コアが、第１コイル巻回部よりも第２方向側に配置されるコイル巻回部を備えている場合に、第１コイル巻回部よりも第２方向側に配置されるコイル巻回部を第２コイル巻回部とすると、第２コイル巻回部の横断面は、長方形状になっているとともに、第２コイル巻回部の横断面の短辺方向とカードの幅方向とが一致していることを特徴とする。
【００１４】
本発明のカードリーダでは、妨害磁界発生機構において、コイルが巻回される棒状のコイル巻回部の１個は、カード移動路を移動するカードの移動方向とカードの厚さ方向とに直交するカードの幅方向においてトラック２が通過する位置に配置されている。そのため、本願発明者の検討によれば、本発明では、カードの幅方向においてトラック２が通過する位置に取り付けられることが想定されるスキミング用磁気ヘッドに効果的に妨害磁界の影響を与えることが可能になる。
【００１５】
また、本発明では、妨害磁界発生機構は、挿入口へのカードの挿入時および挿入口からのカードの引抜き時にカードリーダの利用者がカードの前端部を掴むための凹部の第１方向側に配置されている。また、本発明では、カードの幅方向においてトラック２が通過する位置に配置されるコイル巻回部である第１コイル巻回部の横断面は長方形状になっているとともに、第１コイル巻回部の横断面の短辺方向とカードの幅方向とが一致し、かつ、コアが、第１コイル巻回部よりも第２方向側に配置されるコイル巻回部を備えている場合に、第１コイル巻回部よりも第２方向側に配置されるコイル巻回部を第２コイル巻回部とすると、第２コイル巻回部の横断面は長方形状になっているとともに、第２コイル巻回部の横断面の短辺方向とカードの幅方向とが一致している。
【００１６】
すなわち、本発明では、横断面が長方形状となる第１コイル巻回部は、第１コイル巻回部の横断面の短辺方向とカードの幅方向とが一致するように配置され、かつ、コアが第２コイル巻回部を備えている場合、横断面が長方形状となる第２コイル巻回部は、第２コイル巻回部の横断面の短辺方向とカードの幅方向とが一致するように配置されている。そのため、本発明では、カードの幅方向において、トラック２が通過する位置からコアの第２方向端までの距離を短くして、凹部の幅を確保することが可能になる。したがって、本発明では、カードの幅方向においてトラック２が通過する位置に第１コイル巻回部が配置されていても、カードの挿入時およびカードの引抜き時の操作性を確保することが可能になる。
【００１７】
なお、本発明では、第１コイル巻回部および第２コイル巻回部の横断面が長方形状になっているため、第１コイル巻回部および第２コイル巻回部の横断面が正方形状になっている場合と比較して、第１コイル巻回部の断面積および第２コイル巻回部の断面積を広くしつつ、カードの幅方向においてトラック２が通過する位置からコアの第２方向端までの距離を短くすることが可能になる。すなわち、本発明では、第１コイル巻回部および第２コイル巻回部の横断面が正方形状になっている場合と比較して、妨害磁界発生機構が発生させる妨害磁界の強度を高めつつ、カードの幅方向においてトラック２が通過する位置からコアの第２方向端までの距離を短くすることが可能になる。
【００１８】
本発明において、たとえば、コアは、第１コイル巻回部と１個の第２コイル巻回部と第１コイル巻回部よりも第１方向側に配置される２個のコイル巻回部との４個のコイル巻回部と、４個のコイル巻回部の後端部が繋がるとともにカードの幅方向を長手方向として配置される棒状の１個の連結部とから構成され、４個のコイル巻回部は、互いに平行に配置されている。この場合には、本願発明者の検討によると、カードの幅方向においてトラック２が通過する位置に取り付けられることが想定されるスキミング用磁気ヘッドにより効果的に妨害磁界の影響を与えることが可能になる。
【００１９】
本発明において、第１コイル巻回部よりも第１方向側に配置される２個のコイル巻回部のうちの一方のコイル巻回部を第３コイル巻回部とし、他方のコイル巻回部を第４コイル巻回部とすると、第４コイル巻回部は、第３コイル巻回部よりも第１方向側に配置され、たとえば、第３コイル巻回部の横断面および第４コイル巻回部の横断面は、長方形状になっており、第３コイル巻回部の横断面の長辺方向とカードの幅方向とが一致し、第４コイル巻回部の横断面の長辺方向とカードの幅方向とが一致している。
【００２０】
この場合には、棒状に形成されるコイル巻回部の長手方向とカードの幅方向とに直交する方向において、第１コイル巻回部および第２コイル巻回部の幅よりも第３コイル巻回部および第４コイル巻回部の幅を狭くすることが可能になる。したがって、たとえば、コイル巻回部の長手方向とカードの幅方向とに直交する方向における第３コイル巻回部および第４コイル巻回部の一方側または両側に形成されるスペースを利用して電子部品等を配置することが可能になる。
【００２１】
本発明において、たとえば、第１コイル巻回部に巻回されるコイルと第４コイル巻回部に巻回されるコイルとは、直列に接続され、第２コイル巻回部に巻回されるコイルと第３コイル巻回部に巻回されるコイルとは、直列に接続されている。
【００２２】
本発明において、カードリーダは、第１コイル巻回部に巻回されるコイルおよび第４コイル巻回部に巻回されるコイルに直列に接続される温度ヒューズである第１温度ヒューズと、第２コイル巻回部に巻回されるコイルおよび第３コイル巻回部に巻回されるコイルに直列に接続される温度ヒューズである第２温度ヒューズとを備え、棒状に形成されるコイル巻回部の長手方向とカードの幅方向とに直交する方向の一方を第３方向とし、第３方向の反対方向を第４方向とすると、第１温度ヒューズおよび第２温度ヒューズのいずれか一方は、カードの幅方向において第１コイル巻回部と第２コイル巻回部との間に配置されるとともに第３方向側に配置され、第１温度ヒューズおよび第２温度ヒューズのいずれか他方は、第３コイル巻回部および第４コイル巻回部の第４方向側に配置されていることが好ましい。
【００２３】
このように構成すると、第１温度ヒューズおよび第２温度ヒューズのいずれか一方が、カードの幅方向において第１コイル巻回部と第２コイル巻回部との間に配置されているため、カードの幅方向とコイル巻回部の長手方向とに直交する方向において妨害磁界発生機構を小型化することが可能になる。また、このように構成すると、第１温度ヒューズおよび第２温度ヒューズのいずれか他方が、横断面の長辺方向がカードの幅方向と一致するように配置される第３コイル巻回部および第４コイル巻回部の第４方向側に配置されており、第３コイル巻回部および第４コイル巻回部の第４方向側に形成されるスペースに第１温度ヒューズおよび第２温度ヒューズのいずれか他方が配置されているため、第１温度ヒューズおよび第２温度ヒューズのいずれか他方の配置の自由度を高めることが可能になる。
【発明の効果】
【００２４】
以上のように、本発明では、国際標準化機構によって制定されたＩＳＯ７８１１に準拠するカードに記録された磁気データの不正な読取りを妨害するための磁界を発生させる妨害磁界発生機構を備えるとともに、挿入口へのカードの挿入時および挿入口からのカードの引抜き時に利用者がカードの前端部を掴むための凹部がカード挿入部に形成されたカードリーダにおいて、カードの幅方向においてトラック２が通過する位置に取り付けられることが想定されるスキミング用磁気ヘッドに効果的に妨害磁界の影響を与えることが可能になるとともに、カードの挿入時およびカードの引抜き時の操作性を確保することが可能になる。
【図面の簡単な説明】
【００２５】
【図１】本発明の実施の形態にかかるカードリーダの正面図である。
【図２】図１に示すカードリーダの前端側部分の側面図である。
【図３】図１に示すカードと妨害磁界発生機構との配置関係を説明するための図である。
【図４】図１に示す妨害磁界発生機構の構成を説明するための図である。
【図５】図４のＥ−Ｅ方向から妨害磁界発生機構を示す図である。
【図６】図５に示すコアおよびコイルを抜き出して示す図である。
【発明を実施するための形態】
【００２６】
以下、図面を参照しながら、本発明の実施の形態を説明する。
【００２７】
（カードリーダの概略構成）
図１は、本発明の実施の形態にかかるカードリーダ１の正面図である。図２は、図１に示すカードリーダ１の前端側部分の側面図である。図３は、図１に示すカード２と妨害磁界発生機構８との配置関係を説明するための図である。
【００２８】
本形態のカードリーダ１は、カードリーダ１の利用者が手動でカード２を移動させながら、カード２に記録された磁気データの読取りおよびカード２への磁気データの記録の少なくともいずれか一方を行うための装置である。具体的には、カードリーダ１は、カードリーダ１にカード２を挿入する際、あるいは、カードリーダ１からカード２を引き抜く際に磁気データの読取り等を行ういわゆるディップ式のカードリーダである。カードリーダ１は、たとえば、ＡＴＭ（Ａｕｔｏｍａｔｅｄ  Ｔｅｌｌｅｒ  Ｍａｃｈｉｎｅ）等の所定の上位装置に搭載されて使用される。
【００２９】
カードリーダ１には、カード２が挿入されるとともに排出される挿入口３が形成されている。また、カードリーダ１の内部には、挿入口３から挿入されたカード２が移動するカード移動路４が形成されている。カードリーダ１は、カード２の挿入口３が形成されるカード挿入部５を備えている。また、カードリーダ１は、カード２に記録された磁気データの読取りおよびカード２への磁気データの記録の少なくともいずれか一方を行う磁気ヘッド７と、カード２に記録された磁気データの不正な読取りを妨害するための磁界を発生させる妨害磁界発生機構８とを備えている。
【００３０】
本形態では、カード２は、カード移動路４において図１等のＸ方向へ移動する。すなわち、Ｘ方向は、カード移動路４を移動するカード２の移動方向である。また、Ｘ方向に直交する図１等のＺ方向は、カード移動路４を移動するカード２の厚さ方向であり、Ｘ方向とＺ方向とに直交する図１等のＹ方向は、カード２の幅方向である。以下の説明では、Ｘ方向を「前後方向」とし、Ｚ方向を「上下方向」とし、Ｙ方向を「左右方向」とする。
【００３１】
また、以下の説明では、前後方向の一方（図２のＸ１方向）を「後ろ方向」とし、後ろ方向の反対方向である図１等のＸ２方向を「前方向」とし、上下方向の一方（図１等のＺ１方向）を「上方向」とし、上方向の反対方向である図１等のＺ２方向を「下方向」とし、左右方向の一方（図１等のＹ１方向）を「右方向」とし、右方向の反対方向である図１等のＹ２方向を「左方向」とする。本形態では、カード２は、後ろ側に向かって挿入口３に挿入される。すなわち、本形態の後ろ方向（Ｘ１方向）は、挿入口３へのカード２の挿入方向である。また、本形態の右方向（Ｙ１方向）は、カード２の幅方向の一方である第１方向であり、左方向（Ｙ２方向）は、第２方向である。
【００３２】
カード２は、国際標準化機構によって制定されたＩＳＯ７８１１（ＩＳＯ／ＩＥＣ７８１１）に準拠する長方形状のカードであり、ＩＳＯ／ＩＥＣ７８１１−２やＩＳＯ／ＩＥＣ７８１１−６等に準拠している。カード２は、塩化ビニール製のカードであり、カード２の厚さは、厚さが０．７〜０．８ｍｍ程度となっている。なお、ＪＩＳ規格ＪＩＳ６３０２−２は、ＩＳＯ／ＩＥＣ７８１１−２を基にして作成されており、ＩＳＯ／ＩＥＣ７８１１−２に対応している。また、ＪＩＳ規格ＪＩＳ６３０２−６は、ＩＳＯ／ＩＥＣ７８１１−６を基にして作成されており、ＩＳＯ／ＩＥＣ７８１１−６に対応している。
【００３３】
図３に示すように、カード２の裏面には、磁気データが記録される磁気ストライプ２ａが形成されている。磁気ストライプ２ａは、長方形状に形成されるカード２の長手方向に沿って形成されている。また、磁気ストライプ２ａは、長方形状に形成されるカード２の短手方向の一端面２ｂを基準とする所定の位置に形成されている。磁気ストライプ２ａは、カード２の短手方向において、カード２の中心よりも一端面２ｂ側に形成されている。なお、カード２にＩＣチップが内蔵されても良い。
【００３４】
磁気ストライプ２ａには、「トラック１」、「トラック２」および「トラック３」の３つの記録トラックの磁気データがカード２の長手方向に沿って記録されている。「トラック１」、「トラック２」および「トラック３」の磁気データは、カード２の短手方向において、一端面２ｂからカード２の短手方向の他端面２ｃに向かってこの順番に配置されている。本形態では、「トラック１」を「第１トラック２ｄ」とし、「トラック２」を「第２トラック２ｅ」とし、「トラック３」を「第３トラック２ｆ」とする。
【００３５】
カード２は、カード２の裏面が下側を向いた状態で、挿入口３に挿入されて、カード移動路４を移動する。また、カード２は、カード２の長手方向が前後方向と一致した状態で、挿入口３に挿入されて、カード移動路４を移動する。すなわち、カード移動路４を移動するカード２の長手方向は、前後方向と一致している。さらに、カード２は、一端面２ｂが右側を向き、他端面２ｃが左側を向いた状態で、挿入口３に挿入されて、カード移動路４を移動する。
【００３６】
カード挿入部５は、カードリーダ１の前面を構成している。カード挿入部５には、挿入口３へのカード２の挿入時および挿入口３からのカード２の引抜き時にカードリーダ１の利用者がカード２の前端部を掴むための凹部５ａが形成されている。すなわち、カード挿入部５には、挿入口３へのカード２の挿入時および挿入口３からのカード２の引抜き時にカード２の掴み代（摘まみ代）を確保するための凹部５ａが形成されている。凹部５ａは、カード挿入部５の前面から後ろ側に向かって窪んでいる。左右方向における凹部５ａの幅は、左右方向における挿入口３の幅よりも狭くなっている。たとえば、凹部５ａの左右方向の幅は、挿入口３の左右方向の幅の３分の２程度となっている。
【００３７】
凹部５ａは、挿入口３の上下方向の両側において、カード挿入部５の前面から後ろ側に向かって窪んでいる。凹部５ａの右端は、挿入口３の右端よりも左側に配置されており、凹部５ａは、左右方向における挿入口３の中心部から挿入口３の左端側に亘って形成されている。上述のように、本形態のカードリーダ１はディップ式のカードリーダであるため、カードリーダ１に完全に挿入されたカード２の前端部は、凹部５ａにおいて、カードリーダ１の外部に露出している。カードリーダ１の利用者は、挿入口３へのカード２の挿入時および挿入口３からのカード２の引抜き時にカード２の前端部の左側部分を掴む。
【００３８】
また、カード挿入部５には、カード挿入部５の前面から前側に向かって突出する凸部５ｂが形成されている。凸部５ｂは、凹部５ａの右側に形成されている。また、凸部５ｂは、挿入口３の上側に形成されている。凸部５ｂは、左右の両面部と上下の両面部と前面部とから構成されており、中空状に形成されている。妨害磁界発生機構８は、中空状に形成される凸部５ｂの中に配置されている。すなわち、妨害磁界発生機構８は、カード挿入部５の内部に配置されるとともに、凹部５ａの右側に配置されている。また、妨害磁界発生機構８は、カード移動路４の上側に配置されている。妨害磁界発生機構８の具体的な構成については後述する。
【００３９】
磁気ヘッド７は、カード移動路４に下側から臨むように配置されている。また、磁気ヘッド７は、左右方向において、カード２の磁気ストライプ２ａが通過する位置に配置されている。また、磁気ヘッド７は、たとえば、カード挿入部５の内部に配置されている。
【００４０】
（妨害磁界発生機構の構成）
図４は、図１に示す妨害磁界発生機構８の構成を説明するための図である。図５は、図４のＥ−Ｅ方向から妨害磁界発生機構８を示す図である。図６は、図５に示すコア１１およびコイル１２を抜き出して示す図である。
【００４１】
妨害磁界発生機構８は、磁性材料で形成されるコア１１と、妨害磁界発生用のコイル（励磁用のコイル）１２と、コイル１２が電気的に接続される回路基板１３とを備えている。また、妨害磁界発生機構８は、コア１１、コイル１２および回路基板１３が収容されるケース体（図示省略）を備えている。ケース体の内部には、ポッティング樹脂が充填されている。なお、図１〜図３では、回路基板１３の図示を省略している。
【００４２】
コア１１は、薄い磁性板が積層されて形成された積層コアである。コア１１は、別体で形成される複数のコア分割体２１〜２５を備えている。本形態のコア１１は、５個のコア分割体２１〜２５によって構成されており、コア分割体２１〜２５が一体化されることでコア１１が形成されている。コア１１は、薄い磁性板が積層されて形成された積層コアであるため、コア分割体２１〜２５も、薄い磁性板が積層されて形成された積層コアである。
【００４３】
コア分割体２１〜２５は、直線の棒状に形成されている。具体的には、コア分割体２１〜２５は、細長い四角柱状に形成されている。コア分割体２１〜２４は、左右方向に所定の間隔をあけた状態で配置されている。また、棒状に形成される４個のコア分割体２１〜２４は、互いに平行に配置されている。コア分割体２１〜２４の長手方向（図４等の矢印Ｖで示す方向）は、左右方向に直交している。すなわち、コア分割体２１〜２４は、コア分割体２１〜２４の長手方向と左右方向とが直交するように配置されている。コア分割体２１〜２４は、左側から右側に向かってこの順番で配置されている。
【００４４】
コア分割体２１〜２４は、前側に向かうにしたがって下側に向かうように傾斜している。すなわち、左右方向から見たときに、コア分割体２１〜２４は、前後方向に対して傾斜している。コア分割体２１〜２４の前後方向に対する傾斜角度は、たとえば、約５０°となっている。以下の説明では、コア分割体２１〜２４の長手方向（Ｖ方向）と左右方向とに直交する方向を「Ｗ方向」とし、Ｗ方向の一方を「Ｗ１方向」とし、Ｗ１方向の反対方向を「Ｗ２方向」とする。図２に示すように、Ｗ１方向は、斜め前上方向であり、Ｗ２方向は、斜め後ろ下方向である。本形態のＷ２方向は、第３方向であり、Ｗ１方向は、第４方向である。
【００４５】
コア分割体２１〜コア分割体２４は、同形状に形成されている。コア分割体２１〜２４の横断面（コア分割体２１〜２４の長手方向に直交する断面）は、長方形状になっている。コア分割体２１、２２は、長方形状をなすコア分割体２１、２２の横断面の短辺方向と左右方向とが一致するように配置されている。すなわち、コア分割体２１、２２の横断面の短辺方向と左右方向とは一致している。一方、コア分割体２３、２４は、長方形状をなすコア分割体２３、２４の横断面の長辺方向と左右方向とが一致するように配置されている。すなわち、コア分割体２３、２４の横断面の長辺方向と左右方向とは一致している。
【００４６】
なお、コア分割体２１、２２では、薄い磁性板が左右方向に積層され、コア分割体２３、２４では、薄い磁性板がＷ方向に積層されている。また、コア分割体２１の前端面（下端面）２１ａおよびコア分割体２２の前端面（下端面）２２ａのＷ方向の両端は、面取りされ、コア分割体２３の前端面（下端面）２３ａおよびコア分割体２４の前端面（下端面）２４ａの左右方向の両端は、面取りされている。
【００４７】
コア分割体２５は、コア分割体２５の長手方向と左右方向とが一致するように配置されている。すなわち、コア分割体２５は、左右方向を長手方向として配置されている。コア分割体２１〜２４の一端部は、コア分割体２５に固定されている。具体的には、コア分割体２１〜２４の後端部（上端部）がコア分割体２５に固定されている。すなわち、コア分割体２５には、４個のコア分割体２１〜２４の後端部が繋がっている。コア分割体２１〜２４は、たとえば、接着剤によってコア分割体２５に固定されている。
【００４８】
上述のように、コア分割体２１〜２４は、左側から右側に向かってこの順番で配置されている。すなわち、コア分割体２１は、コア分割体２２よりも左側に配置され、コア分割体２３、２４は、コア分割体２２よりも右側に配置されている。また、コア分割体２４は、コア分割体２３よりも右側に配置されている。図３に示すように、コア分割体２２は、左右方向において、カード２の磁気ストライプ２ａに記録される第２トラック２ｅが通過する位置に配置されている。
【００４９】
コア分割体２５の、コア分割体２１、２２が固定される部分のＷ方向の厚さは、コア分割体２５の、コア分割体２３、２４が固定される部分のＷ方向の厚さよりも厚くなっている。すなわち、コア分割体２５の左側部分のＷ方向の厚さは、コア分割体２５の右側部分の厚さよりも厚くなっている。コア分割体２５の左側部分のＷ１方向側の端面は、コア分割体２５の右側部分のＷ１方向側の端面よりもＷ１方向側に配置されている。コア分割体２５の左側部分のＷ２方向側の端面と、コア分割体２５の右側部分のＷ２方向側の端面とは、同一平面上に配置されている。
【００５０】
コア分割体２５のＷ２方向側の端面には、後述の温度ヒューズ２８との干渉を防止するための凹部２５ａが形成されている。凹部２５ａは、左右方向において、コア分割体２１とコア分割体２２との間に形成されている。また、凹部２５ａは、コア分割体２５のＷ２方向側の端面からＷ１方向側に向かって窪んでいる。コア分割体２１〜２４は、コア分割体２１〜２５のＷ２方向側の端面が同一平面上に配置されるようにコア分割体２５に固定されている。なお、コア分割体２５では、薄い磁性板がＶ方向に積層されている。
【００５１】
コイル１２は、ボビン（図示省略）を介してコア分割体２１〜２４のそれぞれに巻回されており、妨害磁界発生機構８は、４個のコイル１２を備えている。本形態のコア分割体２１〜２４は、コイル１２が巻回されるコイル巻回部であり、コア１１は、４個のコイル巻回部を備えている。また、本形態のコア分割体２２は、左右方向において第２トラック２ｅが通過する位置に配置される第１コイル巻回部であり、コア分割体２１は、第２コイル巻回部であり、コア分割体２３は、第３コイル巻回部であり、コア分割体２４は、第４コイル巻回部であり、コア分割体２５は、コイル巻回部であるコア分割体２１〜２４の後端部が繋がる連結部である。なお、コア分割体２１〜２４とコイル１２との間の絶縁を確実に行えるのであれば、コア分割体２１〜２４にコイル１２が直接巻回されていても良い。
【００５２】
コア分割体２１に巻回されるコイル１２とコア分割体２３に巻回されるコイル１２とは、直列に接続されている。たとえば、コア分割体２１に巻回されるコイル１２とコア分割体２３に巻回されるコイル１２とは、１本の導線によって構成されている。この導線は、回路基板１３に電気的に接続されている。また、コア分割体２１に巻回されるコイル１２の巻回方向とコア分割体２３に巻回されるコイル１２の巻回方向とは逆方向になっている。
【００５３】
コア分割体２２に巻回されるコイル１２とコア分割体２４に巻回されるコイル１２とは、直列に接続されている。たとえば、コア分割体２２に巻回されるコイル１２とコア分割体２４に巻回されるコイル１２とは、１本の導線によって構成されている。この導線は、回路基板１３に電気的に接続されている。また、コア分割体２２に巻回されるコイル１２の巻回方向とコア分割体２４に巻回されるコイル１２の巻回方向とは逆方向になっている。
【００５４】
コイル１２は、コイル１２に交流を供給する交流電源回路に接続されている。コイル１２に交流が供給されると、磁力線の向きがコア分割体２１の前端面２１ａおよびコア分割体２３の前端面２３ａのいずれか一方から前端面２１ａおよび前端面２３ａのいずれか他方に向かう妨害磁界と、磁力線の向きがコア分割体２２の前端面２２ａおよびコア分割体２４の前端面２４ａのいずれか一方から前端面２２ａおよび前端面２４ａのいずれか他方に向かう妨害磁界とが発生する。
【００５５】
具体的には、コイル１２に交流が供給されると、磁力線の向きが前端面２１ａから前端面２３ａに向かう方向と前端面２３ａから前端面２１ａに向かう方向とに不定期的に変動する妨害磁界（交流磁界）と、磁力線の向きが前端面２２ａから前端面２４ａに向かう方向と前端面２４ａから前端面２２ａに向かう方向とに不定期的に変動する妨害磁界（交流磁界）とが発生する。
【００５６】
なお、コイル１２は、コイル１２が接続される直流電源と、この直流電源に対してコイル１２と並列に接続されるコンデンサとを備える駆動回路に接続されても良い。この場合には、駆動回路のコンデンサとコイル１２とによって共振回路が構成される。また、コイル１２は、直流を交流へ変換するインバータ等の回路を介して直流電源に接続されても良い。
【００５７】
回路基板１３は、２個のリジッド基板１３ａ、１３ｂと、２個のリジッド基板１３ａ、１３ｂを繋ぐフレキシブルプリント基板１３ｃとを備えるリジッドフレキシブル基板である。リジッド基板１３ａは、コア１１および４個のコイル１２のＷ１方向側（斜め前上側）に配置されており、Ｗ１方向側からコア１１および４個のコイル１２を覆っている。リジッド基板１３ｂは、コア１１および４個のコイル１２のＷ２方向側（斜め後ろ下側）に配置されており、Ｗ２方向側からコア１１および４個のコイル１２を覆っている。フレキシブルプリント基板１３ｃは、リジッド基板１３ａの右端とリジッド基板１３ｂの右端とを繋いでいる。また、フレキシブルプリント基板１３ｃは、１８０°に折り曲げられて湾曲しており、右側からコア１１およびコイル１２を覆っている。
【００５８】
回路基板１３には、４個のコイル１２が固定されている。たとえば、コア分割体２１、２２に巻回された２個のコイル１２がリジッド基板１３ａのＷ２方向側の面に接着剤によって固定され、コア分割体２３、２４に巻回された２個のコイル１２がリジッド基板１３ｂのＷ１方向側の面に接着剤によって固定されている。リジッド基板１３ａのＷ１方向側の面には、各種の電子部品が実装され、リジッド基板１３ｂのＷ２方向側の面には、各種の電子部品が実装されている。
【００５９】
また、リジッド基板１３ａのＷ２方向側の面には、第２温度ヒューズとしての温度ヒューズ２７が実装され、リジッド基板１３ｂのＷ１方向側の面には、第１温度ヒューズとしての温度ヒューズ２８が実装されている。温度ヒューズ２７は、コア分割体２１に巻回されるコイル１２およびコア分割体２３に巻回されるコイル１２と直列に接続されている。温度ヒューズ２８は、コア分割体２２に巻回されるコイル１２およびコア分割体２４に巻回されるコイル１２と直列に接続されている。
【００６０】
図５に示すように、温度ヒューズ２７は、コア分割体２３、２４のＷ１方向側に配置されている。具体的には、温度ヒューズ２７は、コア分割体２３、２４に巻回されるコイル１２のＷ１方向側に配置されている。また、図４に示すように、温度ヒューズ２７は、Ｗ方向から見たときに、Ｖ方向（コア分割体２１〜２４の長手方向）に対して傾いた状態で配置されている。
【００６１】
温度ヒューズ２８は、左右方向においてコア分割体２１とコア分割体２２との間に配置されている。具体的には、温度ヒューズ２８は、左右方向においてコア分割体２１に巻回されるコイル１２とコア分割体２２に巻回されるコイル１２との間に配置されている。また、温度ヒューズ２８は、Ｗ２方向側に配置されている。温度ヒューズ２８は、Ｗ方向から見たときに、Ｖ方向と平行になった状態で配置されている。
【００６２】
カードリーダ１では、カード２の挿入時に、たとえば、カード２の挿入開始後、カードリーダ１の内部の所定の位置までカード２が挿入されるまでの間、妨害磁界発生機構８が妨害磁界を発生させる。また、カードリーダ１では、カード２の引抜き時に、たとえば、カード２の引抜き開始後、カード２が挿入口３から完全に引き抜かれるまでの間、妨害磁界発生機構８が妨害磁界を発生させる。
【００６３】
（本形態の主な効果）
以上説明したように、本形態では、左側から右側に向かって順番で配置される４個のコア分割体２１〜２４のうちのコア分割体２２が、左右方向において、カード２の磁気ストライプ２ａに記録される第２トラック２ｅが通過する位置に配置されている。そのため、本願発明者の検討によれば、左右方向において第２トラック２ｅが通過する位置に取り付けられることが想定されるスキミング用磁気ヘッドに効果的に妨害磁界の影響を与えることが可能になる。
【００６４】
たとえば、本願発明者の検討によると、図３に示すように、第２トラック２ｅの磁気データを読み取るために左右方向において第２トラック２ｅが通過する位置に配置される読取りヘッド８０ａと、読取りヘッド８０ａの左側に配置されるとともに左右方向において磁気ストライプ２ａが通過しない位置に配置されるダミーヘッド８０ｂとを有する差動式のスキミング用磁気ヘッド８０がカード挿入部５の前方に設置された場合に、スキミング用磁気ヘッド８０に効果的に妨害磁界の影響を与えることが可能になる。
【００６５】
本形態では、挿入口３へのカード２の挿入時および挿入口３からのカード２の引抜き時にカード２の前端部を掴むための凹部５ａの右側に配置される妨害磁界発生機構８において、横断面が長方形状となるコア分割体２１、２２は、コア分割体２１、２２の横断面の短辺方向と左右方向とが一致するように配置されている。そのため、本形態では、左右方向において、コア分割体２２からコア１１の左端までの距離を短くすることが可能になる。すなわち、本形態では、左右方向において、第２トラック２ｅが通過する位置からコア１１の左端までの距離を短くして、凹部５ａの左右方向の幅を確保することが可能になる。したがって、本形態では、左右方向において第２トラック２ｅが通過する位置にコア分割体２２が配置されていても、カード２の挿入時およびカード２の引抜き時の操作性を確保することが可能になる。
【００６６】
また、本形態では、コア分割体２１、２２の横断面が長方形状になっているため、コア分割体２１、２２の横断面が正方形状になっている場合と比較して、コア分割体２１、２２の断面積を広くしつつ、左右方向において第２トラック２ｅが通過する位置からコア１１の左端までの距離を短くすることが可能になる。すなわち、本形態では、コア分割体２１、２２の横断面が正方形状になっている場合と比較して、妨害磁界発生機構８が発生させる妨害磁界の強度を高めつつ、左右方向において第２トラック２ｅが通過する位置からコア１１の左端までの距離を短くすることが可能になる。
【００６７】
本形態では、横断面が長方形状となるコア分割体２３、２４は、コア分割体２３、２４の横断面の長辺方向と左右方向とが一致するように配置されている。また、本形態では、コア分割体２１〜２４は、コア分割体２１〜２５のＷ２方向側の端面が同一平面上に配置されるようにコア分割体２５に固定されている。そのため、本形態では、コア分割体２３、２４のＷ１方向側に形成されるスペースを利用して温度ヒューズ２７を配置することが可能になる。したがって、本形態では、温度ヒューズ２７の自由度を高めることが可能になる。
【００６８】
本形態では、温度ヒューズ２８は、左右方向においてコア分割体２１とコア分割体２２との間に配置されている。そのため、本形態では、温度ヒューズ２８がコア分割体２１、２２のＷ２方向側に配置されている場合と比較して、Ｗ方向において妨害磁界発生機構８を小型化することが可能になる。
【００６９】
（他の実施の形態）
上述した形態は、本発明の好適な形態の一例ではあるが、これに限定されるものではなく本発明の要旨を変更しない範囲において種々変形実施が可能である。
【００７０】
上述した形態において、妨害磁界発生機構８は、カード移動路４の下側に配置されていても良い。この場合には、コア分割体２１〜２４は、前側に向かうにしたがって上側に向かうように傾斜している。また、上述した形態において、コア分割体２３、２４は、コア分割体２３、２４の横断面の短辺方向と左右方向とが一致するように配置されていても良い。また、上述した形態において、コア分割体２３、２４の断面形状は、正方形状であっても良い。
【００７１】
上述した形態において、コア分割体２１が、左右方向において、第２トラック２ｅが通過する位置に配置されていても良い。この場合のコア分割体２１は、第１コイル巻回部である。また、この場合には、コア分割体２２は、コア分割体２２の横断面の長辺方向と左右方向とが一致するように配置されていても良い。
【００７２】
また、上述した形態において、コア分割体２３が、左右方向において、第２トラック２ｅが通過する位置に配置されていても良い。この場合には、コア分割体２３は、コア分割体２３の横断面の短辺方向と左右方向とが一致するように配置されている。また、この場合のコア分割体２３は、第１コイル巻回部であり、コア分割体２１、２２は、第２コイル巻回部である。
【００７３】
さらに、上述した形態において、コア分割体２４が、左右方向において、第２トラック２ｅが通過する位置に配置されていても良い。この場合には、コア分割体２３、２４は、コア分割体２３、２４の横断面の短辺方向と左右方向とが一致するように配置されている。また、この場合のコア分割体２４は、第１コイル巻回部であり、コア分割体２１、２２、２３は、第２コイル巻回部である。
【００７４】
上述した形態では、コア１１は、コイル１２が巻回される４個のコア分割体２１〜２４を備えているが、コア１１は、コイル１２が巻回される２個または３個のコア分割体を備えていても良いし、コイル１２が巻回される５個以上のコア分割体を備えていても良い。この場合には、１個のコア分割体は、左右方向において、第２トラック２ｅが通過する位置に配置されており、このコア分割体は、このコア分割体の横断面の短辺方向と左右方向とが一致するように配置されている。
【００７５】
また、コイル１２が巻回される２個、３個または５個以上のコア分割体をコア１１が備えている場合であって、第２トラック２ｅが通過する位置に配置されるコア分割体よりも左側に配置されるコア分割体をコア１１が備えている場合には、第２トラック２ｅが通過する位置に配置されるコア分割体よりも左側に配置されるコア分割体は、このコア分割体の横断面の短辺方向と左右方向とが一致するように配置されている。また、上述した形態において、コア１１は、コイル１２が巻回される１個のみのコア分割体によって構成されていても良い。この場合には、この１個のコア分割体は、左右方向において、第２トラック２ｅが通過する位置に配置されており、このコア分割体は、このコア分割体の横断面の短辺方向と左右方向とが一致するように配置されている。
【００７６】
上述した形態では、コア１１は、別体で形成される５個のコア分割体２１〜２５によって構成されているが、コア１１は、一体で形成されていても良い。すなわち、上述した形態では、コア１１は、コア分割体２１〜２５に分割されているが、コア１１は、コア分割体に分割されていなくても良い。
【００７７】
上述した形態において、温度ヒューズ２７が、コア分割体２２に巻回されるコイル１２およびコア分割体２４に巻回されるコイル１２と直列に接続され、温度ヒューズ２８が、コア分割体２１に巻回されるコイル１２およびコア分割体２３に巻回されるコイル１２と直列に接続されていても良い。また、上述した形態において、温度ヒューズ２７は、Ｗ方向から見たときに、Ｖ方向と平行になった状態で配置されるとともに、左右方向においてコア分割体２３とコア分割体２４との間に配置されていても良い。
【００７８】
上述した形態において、上述の特許文献１に記載のカードリーダのように、カード挿入部５に、前方に向かって突出するとともに左右方向に間隔をあけた状態で配置される２個の突出部が形成されていて、２個の突出部の間が、挿入口３へのカード２の挿入時および挿入口３からのカード２の引抜き時にカード２の前端部を掴むための凹部となっていても良い。すなわち、上述の特許文献１に記載のカードリーダのように、挿入口３へのカード２の挿入時および挿入口３からのカード２の引抜き時にカード２の前端部を掴むためにカード挿入部５の前面から後ろ側に向かって窪む凹部が左右方向における２個の突出部の間に形成されていても良い。
【００７９】
上述した形態において、カード２の裏面に形成される磁気ストライプ２ａに加えて、カード２のおもて面に磁気ストライプが形成されていても良い。また、上述した形態において、カードリーダ１は、カード移動路４でカード２を搬送するカード搬送機構を備えるカード搬送式のカードリーダであっても良い。
【符号の説明】
【００８０】
１  カードリーダ
２  カード
２ａ  磁気ストライプ
２ｅ  第２トラック（トラック２）
３  挿入口
４  カード移動路
５  カード挿入部
５ａ  凹部
８  妨害磁界発生機構
１１  コア
１２  コイル
２１  コア分割体（コイル巻回部、第２コイル巻回部）
２２  コア分割体（コイル巻回部、第１コイル巻回部）
２３  コア分割体（コイル巻回部、第３コイル巻回部）
２４  コア分割体（コイル巻回部、第４コイル巻回部）
２５  コア分割体（連結部）
２７  温度ヒューズ（第２温度ヒューズ）
２８  温度ヒューズ（第１温度ヒューズ）
Ｖ  コア分割体の長手方向（コイル巻回部の長手方向）
Ｗ  カードの幅方向とコイル巻回部の長手方向とに直交する方向
Ｗ１  第４方向
Ｗ２  第３方向
Ｘ  カードの移動方向
Ｘ１  後ろ方向（カードの挿入方向）
Ｘ２  前方向
Ｙ  カードの幅方向
Ｙ１  第１方向
Ｙ２  第２方向
Ｚ  カードの厚さ方向
【図１】
2019175530.tif 000003
【図２】
2019175530.tif 000004
【図３】
2019175530.tif 000005
【図４】
2019175530.tif 000006
【図５】
2019175530.tif 000007
【図６】
2019175530.tif 000008